(57)【要約】      （修正有）【課題】着座者の体格等の個人差に係わらず上部背もたれ盤を所望の傾斜角度にてロック状態で設定でき、楽な姿勢でキーボードを操作できるようにして疲労を軽減させる。また、椅子としての機能および外観を損なうことなく、自由なデザインを採ることができるようにする。【解決手段】背もたれ盤３を下部と上部とに分割し、上部背もたれ盤３６を前後方向に傾動可能に支持し、基フレーム１の略中間高さ位置に設けた軸支部１５に支持アーム１６の下端部を軸支し、支持アームを上部背もたれ盤の背面に延設して上部背もたれ盤の背面上部を支持アームの上端部により支持させ、さらにハンドル３１の操作によって作動軸２６の出没動が許容されるロック付タイプのガススプリング２１を基フレームの下部と支持アームの下端部近くとを結ぶように設け、ハンドル操作によって作動軸を出没動させることにより上部背もたれ盤が所望の傾斜角度に設定されるようにした。【選択図】図２
2005230365.tif 000002
【特許請求の範囲】
【請求項１】
背もたれ盤を下部と上部とに分割し、着座部の後側から起立する基フレームにより下部背もたれ盤の背面を支持するとともに、該基フレームの上端に蝶番部を介して可動フレームを延設し、上部背もたれ盤の背面を該可動フレームに固着することにより該上部背もたれ盤を前後方向に傾動可能に支持し、該基フレームの略中間高さ位置に設けた軸支部に支持アームの下端部を軸支し、該支持アームを上部背もたれ盤の背面に延設して該上部背もたれ盤の背面上部を該支持アームの上端部により支持させ、さらにハンドル操作によって作動軸の出没動が許容されるロック付タイプのガススプリングを該基フレームの下部と支持アームの下端部近くとを結ぶように設け、ハンドル操作によって該作動軸を出没動させることにより上部背もたれ盤が所望の傾斜角度に設定されるようにしたことを特徴とする椅子。
【請求項２】
支持アームは蝶番部の後方を迂回するべく湾曲状に形成したものである請求項１に記載の椅子。
【請求項３】
ガススプリングの作動軸を出没動可能とする操作軸を基フレームの下部に水平に軸支し、該操作軸の外方突出端にハンドルを設けた請求項１または２に記載の椅子。
【発明の詳細な説明】
【技術分野】
【０００１】
本発明は事務用椅子における背もたれ部の構造に関するものである。
【背景技術】
【０００２】
近年、オフィスではパーソナルコンピュータ等のＯＡ機器のキーボード操作のために、体を後傾させた状態で頭部を前方に少し起こし手をキーボード上にのばすといった姿勢を採るケースが多い。
そのような姿勢を採りやすくするために、下記特許文献１に記載された椅子は、背もたれ板の弾性力によって上部フレームを前方屈曲状に傾動させ、背もたれの上部が前方に屈折し着席者の背中の上部が前方に押圧支持されるようにしたものである。
また、下記特許文献１に記載された椅子は、背もたれを後傾させることにより背もたれ上部が着座部の両側に設けられた支持杆によって引っ張られ、背もたれ上部が前方に傾動するように構成したものであった。
【特許文献１】特開２０００−２３７７８号公報
【特許文献２】特開平１１−７５９９０号公報
【発明の開示】
【発明が解決しようとする課題】
【０００３】
ところで、上記特許文献１に示された椅子は、背もたれの上部を背もたれ板の弾性力によって前方に付勢したものであったので、着席者の体格等、特に肩の重さの個人差によって、背中上部が望ましい角度に支持されないという問題があった。
また、上記特許文献２に示された椅子は、着座部の両側に設けられる支持杆が邪魔になり、機能上およびデザイン上の制限を受けるという問題があるほか、背もたれを後傾角度によって背もたれ上部の傾斜角度も自動的に決められてしまうので、使用者の好みに応じられないという問題があった。
【０００４】
本発明は、上記のような課題を解決し、キーボード操作のための使い勝手のよい椅子を提供しようとするものである。
【課題を解決するための手段】
【０００５】
そのために請求項１に記載の椅子は、背もたれ盤を下部と上部とに分割し、着座部の後側から起立する基フレームにより下部背もたれ盤の背面を支持するとともに、該基フレームの上端に蝶番部を介して可動フレームを延設し、上部背もたれ盤の背面を該可動フレームに固着することにより該上部背もたれ盤を前後方向に傾動可能に支持し、該基フレームの略中間高さ位置に設けた軸支部に支持アームの下端部を軸支し、該支持アームを上部背もたれ盤の背面に延設して該上部背もたれ盤の背面上部を該支持アームの上端部により支持させ、さらにハンドル操作によって作動軸の出没動が許容されるロック付タイプのガススプリングを該基フレームの下部と支持アームの下端部近くとを結ぶように設け、ハンドル操作によって該作動軸を出没動させることにより上部背もたれ盤が所望の傾斜角度に設定されるようにしたことを特徴とする。
【０００６】
また請求項２に記載の発明は、上記請求項１に記載の椅子において、支持アームは蝶番部の後方を迂回するべく湾曲状に形成したものであることを特徴とする。このため、支持アームの後方への出っ張りを少なくすることができ、薄型に構成できる。
【０００７】
また請求項３に記載の発明は、上記請求項１または２に記載の椅子において、ガススプリングの作動軸を出没動可能とする操作軸を基フレームの下部に水平に軸支し、該操作軸の外方突出端にハンドルを設けたことを特徴とする。このため、着座者による操作性がよい。
【発明の効果】
【０００８】
着座者の体格等の個人差に係わらず上部背もたれ盤を所望の傾斜角度にてロック状態で設定でき、楽な姿勢でキーボードを操作をすることができるようにして疲労を軽減させる。また、椅子としての機能および外観を損なうことなく、自由なデザインを採ることができる。
【実施例１】
【０００９】
次に本発明の実施例を説明する。図１はこの椅子の側面図、図２はその要部の縦断面図、図３は要部の分解斜視図である。図中、１はこの椅子の着座部２の後側から起立する縦横２本の鋼材からなる基フレーム、３は下部背もたれ盤３ａと上部背もたれ盤３ｂとに分割されたプラスチック製の背もたれ盤、４は該背もたれ盤の前面を被うクッション性の表装カバーである。なお、基フレーム１の基端部１ａは着座部２の下部に枢支され、周知の傾斜角度調整機構によって図５に例示したように所望角度に後傾するように構成されている。
【００１０】
下部背もたれ盤３ａは背面を基フレーム１の前面に突設されたボス５に当接し、該ボス中に埋設したナット６にビス７を螺締することによって該基フレーム１に支持される。基フレーム１の上端には蝶番部８が設けられ、該蝶番部より上方に略Ｔ字形の可動フレーム９が延設される。そして、上部背もたれ盤の背面を該可動フレームに当接させビス１０を貫挿しナット１１を締め付け、該上部背もたれ盤３ｂの背面を該可動フレーム９に固着することにより該上部背もたれ盤３ｂを前後方向に傾動可能に支持する。なお、可動フレーム９の上部両端縁には後方折曲片１２が形成され、該後方折曲片に長孔１３が形成されている。
【００１１】
また、基フレーム１の略中間高さ位置に軸支部１５を設け、該軸支部に支持アーム１６の下端部を軸支する。そして該支持アームを蝶番部８の後方を迂回するべく湾曲状に形成することにより上部背もたれ盤３ｂの背面に延設し、Ｔ字形に形成された該支持アームの上端部の両端にピン１７を突設し、該ピンを前記可動フレーム９の長孔１３に遊嵌し、上部背もたれ盤３ｂの背面上部が該支持アームの上端部により支持されるようにする。
【００１２】
また、支持アーム１６の下端部近くに突設した連結片２０にガススプリング２１をピン２２をもって連結する。また、基フレーム１の下部に軸受片２３を固着し、該軸受片に操作軸２４を水平に貫挿することによりコ字状支持部材２５を傾動可能に支持する。そして、該コ字状支持部材にガススプリング２１の作動軸２６をナット２７により固着し、該作動軸の先端から突設されたプッシュ部２８を該コ字状支持部材の内側に突出させる。該ガススプリング２１は周知のロック付タイプのもので、シリンダ部内に不活性ガスが充填され、プッシュ部２８を操作軸２４に設けられたカム片２９により押圧操作することによりその不活性ガスの流通が制御され作動軸２６の出没動を許容したりロックできたりするものである。なお、３０はプッシュ部２８を復帰動させるためコ字状支持部材２５内に先端部が突出するように設けられた板バネ、３１はカム片２９の回転可能範囲を制限するためにコ字状支持部材２５の下面に垂下状に固着されたコ字状のストッパである。また、操作軸２４は基フレーム１との衝突を避けるためにクランク状に折れ曲げされ、その外方突出端にハンドル３２が設けられている。なお、基フレーム１、支持アーム１６等の後側を被う背面カバーについては図示省略する。また、表装カバー４はその上縁に形成された袋状部４ａを上部背もたれ盤３ｂの上縁に被せることにより該上部背もたれ盤３ｂから下部背もたれ盤３ａに亘って装着される。
【００１３】
このように構成した椅子では、ハンドル３２を押圧操作し操作軸２４を回転させ、カム片２９にプッシュ部２８を押圧操作させることにより、ガススプリング２１の作動軸２６の出没動が許容されるようになるので、支持アーム１６が軸支部１５を支点として回転自在となり該支持アームによって支持された上部背もたれ盤３ｂは傾動可能になる。なお、その傾動時に前記ピン１７は長孔１３中で移動する。また、ガススプリング２１はその初期圧力により支持アーム１６を弾性的に押圧することから該上部背もたれ盤３ｂを前方傾斜状態となる。また、上部背もたれ盤３ｂを後方に押圧することにより図４に示したように該上部背もたれ盤３ｂは後傾し、その状態でハンドル３２から手を離せばプッシュ部１８の押圧が解除され、ガススプリング２１の作動軸２６が出没動不能となることからこの後傾状態が維持される。従って、着座者は上部背もたれ盤３ｂを所望の傾斜角度にて傾動不能にロックすることができる。
【００１４】
また、図５に示したように、基フレーム１を少し後傾させ、その状態にてハンドル３２を押圧操作し、着座者がキーボードに手を伸ばし、背中による上部背もたれ盤３ｂの押圧力を少し緩めれば、該上部背もたれ盤３ｂはそれに連れて前傾し、所望の角度となったところで該ハンドルから手を離せば、該上部背もたれ盤３ｂをその所望傾斜角度にて傾動不能にロックされ、キーボード操作がし易く、長時間キーボード操作をしても疲れ難い姿勢を採ることができる。
【００１５】
このように、本発明の椅子では、ロック付タイプのガススプリングを使用することにより、上部背もたれ盤３ｂを所望の傾斜角度に設定しロックできるようにしたので、着座者の体格の個人差に係わらず自由な設定ができ、楽な姿勢でキーボードを操作をすることができ疲労を軽減させる。
【００１６】
また、背もたれ盤の背面にすべての傾動機構が設けられるとともに薄型に構成されるので、背面カバーによってこれらの傾動機構を被うことができ、機能および外観を損なうことなく自由な椅子デザインを採ることができる。
【図面の簡単な説明】
【００１７】
【図１】本発明の実施例を示した椅子の側面図。
【図２】図１の椅子の要部の縦断面図。
【図３】図１の椅子の要部の分解斜視図。
【図４】図１の椅子の作動状態図。
【図５】図１の椅子の作動状態図。
【符号の説明】
【００１８】
１      基フレーム
２      着座部
３      背もたれ盤
３ａ    下部背もたれ盤
３ｂ    上部背もたれ盤
４      表装カバー
８      蝶番部
９      可動フレーム
１５    軸支部
１６    支持アーム
２０    連結片２０
２１    ガススプリング
２３    軸受片
２４    操作軸
２５    コ字状支持部材
２６    作動軸
２８    プッシュ部
２９    カム片
３２    ハンドル
【図１】
2005230365.tif 000003
【図２】
2005230365.tif 000004
【図３】
2005230365.tif 000005
【図４】
2005230365.tif 000006
【図５】
2005230365.tif 000007
【手続補正書】
【提出日】平成17年6月2日(2005.6.2)
【手続補正１】
【補正対象書類名】明細書
【補正対象項目名】０００２
【補正方法】変更
【補正の内容】
【０００２】
近年、オフィスではパーソナルコンピュータ等のＯＡ機器のキーボード操作のために、体を後傾させた状態で頭部を前方に少し起こし手をキーボード上にのばすといった姿勢を採るケースが多い。
そのような姿勢を採りやすくするために、下記特許文献１に記載された椅子は、背もたれ板の弾性力によって上部フレームを前方屈曲状に傾動させ、背もたれの上部が前方に屈折し着席者の背中の上部が前方に押圧支持されるようにしたものである。
また、下記特許文献２に記載された椅子は、背もたれを後傾させることにより背もたれ上部が着座部の両側に設けられた支持杆によって引っ張られ、背もたれ上部が前方に傾動するように構成したものであった。
【特許文献１】特開２０００−２３７７８号公報
【特許文献２】特開平１１−７５９９０号公報